(57)【要約】      （修正有）【課題】マスクがマイクロカプセルを融合し、マイクロカプセル内に混合香料を設けることにより、マスクで口・鼻を覆う時に、マイクロカプセルが混合香料の香りを放出し、マスクが爽やかな香りの効能を備えるマスク構造を提供する。【解決手段】綿パッド２０が繊維層２１を備え、綿パッドの片側に粘着層を設け、綿パッドが粘着層を通じてマスク１０の内側側面に粘着し、マイクロカプセル３０が綿パッドの繊維層内に設けられ、マイクロカプセル内に混合香料を設ける。【選択図】図５
0003215400.tif 000002
【実用新案登録請求の範囲】
【請求項１】
綿パッドが繊維層を備え、そして当該綿パッドの片側に粘着層を設け、なおかつ当該綿パッドが当該粘着層を通じて当該マスクの内側側面に粘着する少なくとも１つの綿パッド、及び、マイクロカプセルが当該綿パッドの繊維層内に設けられ、そして当該マイクロカプセル内に混合香料を設ける、少なくとも１つのマイクロカプセルを含む、マスクを含む、
マスク構造。
【請求項２】
そのうち、当該マスクの外側側面に更には印刷の方法で図案、文字又は文様が印刷される、請求項１に記載のマスク構造。
【請求項３】
そのうち、当該マイクロカプセルが更にはエチレン酢酸ビニル共重合体（ＥＶＡ）又はポリウレタン（ＰＵ）などを採用し低温プラスチック・ゴムを備えて製作された、請求項１に記載のマスク構造。
【請求項４】
そのうち、当該綿パッドの粘着層に更には剥離紙を設けることで当該粘着層の粘着性を保護する、請求項１に記載のマスク構造。
【請求項５】
そのうち、当該マイクロカプセルが更には当該混合香料を包み込み、なおかつ圧力、摩擦、加熱又は自然拡散などの方法でゆっくりと当該混合香料の香りを放出する、請求項１に記載のマスク構造。
【請求項６】
そのうち、当該マスクが布層により編んで作られ、なおかつ当該布層が両側に伸び、当該布層の両側にそれぞれ穴を設けることで当該穴を通して耳に引っ掛けることができる、請求項１に記載のマスク構造。
【請求項７】
マスクが布層により編んで作られ、なおかつ当該布層が両側に伸び、当該布層の両側にそれぞれ穴を設けることで当該穴を通して耳に引っ掛けることができる、マスク、及び、マイクロカプセルが当該マスクの布層内に設けられ、そして当該マイクロカプセル内に混合香料を設ける、少なくとも１つのマイクロカプセル、を含む、
マスク構造。
【請求項８】
そのうち、当該マイクロカプセルが更には当該混合香料を包み込み、なおかつ圧力、摩擦、加熱又は自然拡散などの方法によりゆっくりと当該混合香料の香りを放出する、請求項７に記載のマスク構造。
【請求項９】
そのうち、当該マスクの外側側面に更には印刷の方法により図案、文字又は文様が印刷される、請求項７に記載のマスク構造。
【請求項１０】
そのうち、当該マイクロカプセルが更にはエチレン酢酸ビニル共重合体（ＥＶＡ）又はポリウレタン（ＰＵ）などを採用し低温プラスチック・ゴムを備えることで製作される、請求項７に記載のマスク構造
【考案の詳細な説明】
【技術分野】
【０００１】
本考案はある種のマスク構造、とりわけある種のマイクロカプセルの設計により、当該マスクが爽やかな香りの効能を備えるようになり、マスク又は類似の構造に適用するものに関する。
【背景技術】
【０００２】
スモッグ現象はここ数年の間に、一定期間をおいて常に発生しており、それは固体粒子により形成される大気汚染でもある。そのうち最もよく見られるのが土又はホコリである。更には、これにより呼吸器疾患、心血管疾患、血液疾患が起こりやすくなる。
【０００３】
ほかにも、空気中には汚染物質も存在している。例えば自動車の排出ガス、工業からの排出物、道路・建設工事で巻き上がるホコリ、工業の粉塵、ゴミ燃焼などであり、これらにより、空気中の粒子状物質が増える一方という現状が伺える。これは人体の気道に極めて大きな影響を及ぼしうる。
【０００４】
そのため、多くの人々は外出時にマスクを着用し、呼吸時に過剰な汚染物質と空気中に放出される臭い−それが悪臭であれ鼻をつく異臭であれ−を吸い込まないようにしている。こうして当該マスクによりこれらを通さないことができる。しかし、マスクは汚染物質が口・鼻に入り込むのを防ぐだけであり、口・鼻により吸い込んでしまう悪臭又は鼻をつく異臭を通さないことはできない。過剰な又は高濃度の悪臭又は鼻をつく異臭を吸い込むことで、体にはやはり不調が起きやすくなる。
【０００５】
そのため、本考案者は上記の不備を考慮に入れ、爽やかな香りの効能を備えるある種のマスク構造を提起することで、使用者が簡単に組立てが行えることを望んでいた。そして一心に思索を重ね、設計・構想・製作を行うことで、使用者に利便性を与え、それが、本考案者が望む研究での創作の動機となっている。
【考案の概要】
【考案が解決しようとする課題】
【０００６】
本考案の主な目的は、マスク構造を提供し、当該マスクがマイクロカプセルの設計を融合し、なおかつ当該マイクロカプセル内に混合香料を設けることで、当該マスクを口・鼻を覆うのに使う時に、当該マイクロカプセルが混合香料の香りが放出できることで、当該マスクが爽やかな香りの効能を備え、更には全体的な実用性を高めることにある。
【０００７】
本考案の別の目的は、マスク構造を提供し、当該マイクロカプセルが当該混合香料を包み込み、なおかつ圧力、摩擦、加熱又は自然拡散などの方法でゆっくりと当該混合香料の香りを放出し、当該混合香料の香りが花や草、果物及び他の香りなどさまざまな香りであることにより、当該混合香料が多様な選択を提供する効能を備え、更には全体的な選択性が高められることにある。
【０００８】
上記の目的を達成するために、本考案はマスク構造であり、その第１実施形態は次のものを含む。マスク。それが少なくとも１つの綿パッドであり、当該綿パッドが繊維層を備えるものとし、当該綿パッドの片側に粘着層を設け、なおかつ当該綿パッドが当該粘着層を通じて当該マスクの内側側面に粘着するもの。及び少なくとも１つのマイクロカプセル。当該マイクロカプセルが当該綿パッドの繊維層内に設けられ、そして当該マイクロカプセル内に混合香料を設けるもの。
【０００９】
ほかにも、上記の目的を達成するために、本考案はマスク構造であり、その第２実施形態は次のものを含む。マスク。当該マスクが布層により編んで作られ、なおかつ当該布層が両側に向かって伸び、当該布層の両側にそれぞれ穴を設けることで、当該穴を通して耳に引っ掛けることができるもの。及び少なくとも１つのマイクロカプセル。当該マイクロカプセルは当該マスクの布層内に設けられ、当該マイクロカプセル内に混合香料を設けるもの。
【００１０】
本考案の特徴、特性及び技術内容への理解が深まるように、本考案に関する以下の詳細な説明と付図を参照されたい。ただし、添付した図面は単なる参考と説明用であり、本考案を制限することに使うものではない。
【課題を解決するための手段】
【００１１】
本考案は、綿パッドが繊維層を備え、そして当該綿パッドの片側に粘着層を設け、なおかつ当該綿パッドが当該粘着層を通じて当該マスクの内側側面に粘着する少なくとも１つの綿パッド、及び、当該マイクロカプセルが当該綿パッドの繊維層内に設けられ、そして当該マイクロカプセル内に混合香料を設ける、少なくとも１つのマイクロカプセルを含む、マスクを含む、マスク構造である。
【考案の効果】
【００１２】
本考案のマスク構造を示す最良の実施形態は、口・鼻を覆うためにマスクに活用することで、当該マスクが使用時に爽やかな香りの効能が備わることである。
【図面の簡単な説明】
【００１３】
【図１】図１は、本考案の第１実施形態を示す立体外観図である。
【図２】図２は、本考案の第１実施形態を示す別の視角立体外観図である。
【図３】図３は、本考案の第１実施形態を示す綿パッドとマスクの分解図である。
【図４】図４は、本考案の第１実施形態を示す綿パッドとマイクロカプセルを融合した断面図である。
【図５】図５は、本考案の第１実施形態を示すマスク使用図である。
【図６】図６は、本考案の第２実施形態を示す立体外観図である。
【図７】図７は、本考案の第２実施形態を示す別の視角立体外観図である。
【図８】図８は、本考案の第２実施形態を示すマイクロカプセルとマスクの分解図である。
【図９】図９は、本考案の第２実施形態を示すマイクロカプセルとマスクを融合した断面図である。
【考案を実施するための形態】
【００１４】
第１〜９図を参照されたい。これらは本考案の実施例の表示図であり、本考案のマスク構造を示す最良の実施形態は、口・鼻を覆うためにマスクに活用することで、当該マスクが使用時に爽やかな香りの効能が備わることである。
【００１５】
そして本考案のマスク構造は、その第１実施形態ではマスク１０、少なくとも１つの綿パッド２０及び少なくとも１つのマイクロカプセル３０を設ける。そのうち、当該マスク１０は一般的な医療で使うマスク１０であるほかにも、布層１１により編んで作られ、なおかつ当該布層１１が両側に伸び、当該布層１１の両側にそれぞれ穴１２を設けることで当該穴１２を通じて耳に引っ掛けることができるもの（図５に示すとおり）であってもよい。こうして当該マスク１０は口・鼻を覆うことができる。それに加えて、当該マスク１０の外側側面が印刷の方法により図案１２（図１と図５に示すとおり）、文字又は文様（図に記載なし）が印刷され、なおかつ図案１３、文字又は文様が多色又は単色であってもよいことで、当該マスク１０の独自性と変化性を高めるのに役立ち、こうして当該マスク１０に個人の個性が備わることで判別しやすくなる。
【００１６】
更には、当該マスク１０の内側側面に少なくとも１つの綿パッド２０（図２に示すとおり）を設け、当該綿パッド２０が繊維層２１を備えるものとし、当該綿パッド２０が円形状、四角形状又は他の形状であってもよく、なおかつ当該綿パッド２０の繊維層２１内にマイクロカプセル３０を設けてもよい（図３と図４に示すとおり）。そのうち、当該マイクロカプセル３０はエチレン酢酸ビニル共重合体（ＥＶＡ）又はポリウレタン（ＰＵ）などを採用して低温プラスチック・ゴムを備えて製作される。当該マイクロカプセル３０は当該混合香料３１を包み込み、なおかつ圧力、摩擦、加熱又は自然拡散などの方法でゆっくりと当該混合香料３１の香りを放出する。更には、当該混合香料３１の香りは、花と草、果物及び他の香りなどさまざまな香りであることで、当該混合香料３１が多様な選択を提供する効能を備えるようになる。
【００１７】
それに加えて、当該綿パッド２０の片側に粘着層２２を設けることで当該粘着層２２を通じて当該マスク１０の内側側面に粘着する（図４に示すとおり）。そのうち、当該綿パッド２０の粘着層２２は剥離紙（図に記載なし）を設けることで当該粘着層２２の粘着性を保護する。そして使用時には、まず当該綿パッド２０の粘着層２２上の剥離紙を破いて粘着層２２を露出させ、次に当該綿パッド２０を当該マスク１０の内側側面の任意の箇所に粘着し、自分の好みの位置に基づき選択して粘着することに役立てる。
【００１８】
当該綿パッド２０を当該マスク１０の内側側面に粘着してから、当該綿パッド２０の繊維層２１内のマイクロカプセル３０が手の指によりねじって力をかけられることで、当該マイクロカプセル３０が破裂する。こうして当該マイクロカプセル３０内の混合香料３１の香りが漂って広がるようにし、これを当該マスク１０の内側に充満させることができる。口・鼻を使って呼吸を行うのに合わせて、当該マイクロカプセル３０内に漂って広がる混合香料３１の香りを嗅ぎ取ることができる。空気中に悪臭のガスがある場合には呼吸での不快感が和らげられる一方で、中和された空気を備えることで、呼吸により口・鼻に入る空気が爽やかな香りの効能を備える。
【００１９】
更には、本考案のマスク構造は、その第２実施形態ではマスク４０と少なくとも１つのマイクロカプセル５０を設ける。そのうち、当該マスク４０は布層４１により編んで作られ、なおかつ当該布層４１が両側に伸び、当該布層４１の両側にそれぞれ穴４２（図６に示すとおり）を設けることで当該穴４２を通じて耳に引っ掛けることができる。こうして当該マスク４０が口と鼻を覆うことができる。それに加えて、当該マスク４０の外側側面には印刷の方法で図案４３（図６に示すとおり）、文字又は文様（図に記載なし）が印刷される。なおかつ図案４３、文字又は文様が多色又は単色であってもよいことで、当該マスク４０の独自性と変化性を高めるのに役立ち、こうして当該マスク４０に個人の個性が備わることで判別しやすくなる。
【００２０】
そして当該マイクロカプセル５０は当該マスク４０の布層４１内（図７と図８に示すとおり）に設けられる。そのうち、当該マイクロカプセル５０はエチレン酢酸ビニル共重合体  （ＥＶＡ）又はポリウレタン（ＰＵ）などを採用し低温プラスチック・ゴムを備えて製作される。そして当該マイクロカプセル５０は当該混合香料５１を包み込み、なおかつ圧力、摩擦、加熱又は自然拡散などの方法でゆっくりと当該混合香料の香りを放出し、更には当該混合香料５１の香りが花や草、果物及び他の香りなどさまざまな香りであることにより、当該混合香料５１が多様な選択を提供する効能を備える。
【００２１】
当該マスク４０の布層４１内のマイクロカプセル５０（図９に示すとおり）が手の指によりねじって力をかけられることで、当該マイクロカプセル５０が破裂する。こうして当該マイクロカプセル５０内の混合香料５１の香りが漂って広がり、当該マスク４０の布層４１間に充満する。そして。口・鼻を使って呼吸を行うのに合わせて、当該マイクロカプセル５０内に漂い広がってくる混合香料５１の香りを嗅ぎ取ることができる。空気中に悪臭のガスがある場合には呼吸での不快感が和らげられる一方で、中和された空気を備え、呼吸により口・鼻に入る空気が爽やかな香りの効能が備えられるようになる。
【００２２】
以上の詳細な説明により、本項目の技能を熟知した者が、本考案が確実に前述の目的が達せられることが理解でき、すでに特許法の規定に合致していることに間違いなく、そのため特許出願を行う。
【００２３】
ただし、以上の記述内容は、単に本考案の好適な実施例に過ぎず、これによって本考案実施の範囲を限定することはできない。そのため本考案での実用新案登録請求の範囲と実用新案明細書の内容で行われた簡単で同一効果の変更と修飾は全て、依然として本考案特許が含む範囲内としなければならない。
【符号の説明】
【００２４】
１０  マスク
１１  布層
１２  穴
１３  図案
２０  綿パッド
２１  繊維層
２２  粘着層
３０  マイクロカプセル
３１  混合香料
４０  マスク
４１  布層
４２  穴
４３  図案
５０  マイクロカプセル
５１  混合香料
【図１】
0003215400.tif 000003
【図２】
0003215400.tif 000004
【図３】
0003215400.tif 000005
【図４】
0003215400.tif 000006
【図５】
0003215400.tif 000007
【図６】
0003215400.tif 000008
【図７】
0003215400.tif 000009
【図８】
0003215400.tif 000010
【図９】
0003215400.tif 000011
【手続補正書】
【提出日】平成30年1月22日(2018.1.22)
【手続補正１】
【補正対象書類名】実用新案登録請求の範囲
【補正対象項目名】全文
【補正方法】変更
【補正の内容】
【実用新案登録請求の範囲】
【請求項１】
綿パッドが繊維層を備え、そして当該綿パッドの片側に粘着層を設け、なおかつ当該綿パッドが当該粘着層を通じてマスクの内側側面に粘着する少なくとも１つの綿パッド、及び、マイクロカプセルが当該綿パッドの繊維層内に設けられ、そして当該マイクロカプセル内に混合香料を設ける、少なくとも１つのマイクロカプセルを含む、マスクを含む、
マスク構造。
【請求項２】
そのうち、当該マスクの外側側面に更には印刷の方法で図案、文字又は文様が印刷される、請求項１に記載のマスク構造。
【請求項３】
そのうち、当該マイクロカプセルが更にはエチレン酢酸ビニル共重合体（ＥＶＡ）又はポリウレタン（ＰＵ）を採用し低温プラスチック・ゴムを備えて製作された、請求項１に記載のマスク構造。
【請求項４】
そのうち、当該綿パッドの粘着層に更には剥離紙を設けることで当該粘着層の粘着性を保護する、請求項１に記載のマスク構造。
【請求項５】
そのうち、当該マイクロカプセルが更には当該混合香料を包み込み、なおかつ圧力、摩擦、加熱又は自然拡散の方法でゆっくりと当該混合香料の香りを放出する、請求項１に記載のマスク構造。
【請求項６】
そのうち、当該マスクが布層により編んで作られ、なおかつ当該布層が両側に伸び、当該布層の両側にそれぞれ穴を設けることで当該穴を通して耳に引っ掛けることができる、請求項１に記載のマスク構造。
【請求項７】
マスクが布層により編んで作られ、なおかつ当該布層が両側に伸び、当該布層の両側にそれぞれ穴を設けることで当該穴を通して耳に引っ掛けることができる、マスク、及び、マイクロカプセルが当該マスクの布層内に設けられ、そして当該マイクロカプセル内に混合香料を設ける、少なくとも１つのマイクロカプセル、を含む、
マスク構造。
【請求項８】
そのうち、当該マイクロカプセルが更には当該混合香料を包み込み、なおかつ圧力、摩擦、加熱又は自然拡散の方法によりゆっくりと当該混合香料の香りを放出する、請求項７に記載のマスク構造。
【請求項９】
そのうち、当該マスクの外側側面に更には印刷の方法により図案、文字又は文様が印刷される、請求項７に記載のマスク構造。
【請求項１０】
そのうち、当該マイクロカプセルが更にはエチレン酢酸ビニル共重合体（ＥＶＡ）又はポリウレタン（ＰＵ）を採用し低温プラスチック・ゴムを備えることで製作される、請求項７に記載のマスク構造。